(57)【要約】【課題】  簡易な構成でありながら、第三者による記憶媒体の盗難や、第三者によるリモコン操作を防止することができ、また、蓋体の取り外しを、鍵等を使用することなく、容易かつ安全に実行することが可能な防犯カメラ装置を提供する。【解決手段】  装置本体に対して蓋機構４を装着し、あるいは、離脱させるときには、開閉ハンドル３０における一対の棒状部３２を、第２の蓋体２０における開口部２３を貫通させた後、第１の蓋体１０の外周面に形成された凹部１１と係合させる。そして、開閉ハンドル３０をこの状態で維持したまま、第２の蓋体２０の外周面に形成された凹部２１を把持することにより、第２の蓋体２０を開閉ハンドル３０および第１の蓋体１０とともに回転させる。【選択図】        図５
0003208124.tif 000002
【実用新案登録請求の範囲】
【請求項１】
カメラを内蔵した装置本体と、前記装置本体を支持するための支持部材とを備え、前記カメラにより撮影した画像を記録媒体に記録する防犯カメラ装置において、
その内部に前記記録媒体を装着するための装着孔が形成されるとともに、その内周面にネジ部が形成された開口凹部と、
ネジ部を有し、当該ネジ部を前記開口凹部のネジ部と螺合させることにより前記開口凹部を覆う第１の蓋体と、
前記第１の蓋体を外部から覆う形状を有し、その蓋面に開口部が形成されるとともに、前記第１の蓋体に対して回転自在に構成された第２の蓋体と、
前記第２の蓋体に形成された開口部を介して、前記第１の蓋体に形成された係合部と係合する棒状部を備えた開閉部材と、
を備えたことを特徴とする防犯カメラ装置。
【請求項２】
カメラを内蔵した装置本体と、前記装置本体を支持するための支持部材と、前記カメラの動作を操作するためのコントローラからの信号の受光部とを備えた防犯カメラ装置において、
その内部に前記受光部が形成されるとともに、その内周面にネジ部が形成された開口凹部と、
ネジ部を有し、当該ネジ部を前記開口凹部のネジ部と螺合させることにより前記開口凹部を覆う第１の蓋体と、
前記第１の蓋体を外部から覆う形状を有し、その蓋面に開口部が形成されるとともに、前記第１の蓋体に対して回転自在に構成された第２の蓋体と、
前記第２の蓋体に形成された開口部を介して、前記第１の蓋体に形成された係合部と係合する棒状部を備えた開閉部材と、
を備えたことを特徴とする防犯カメラ装置。
【請求項３】
請求項１または請求項２に記載の防犯カメラ装置において、
前記第１の蓋体に形成された係合部は、前記第１の蓋体の外周面に形成された凹部であり、
前記第２の蓋体には一対の開口部が形成されるとともに、
前記開閉部材には棒状部が一対配設されており、
前記開閉部材における一対の棒状部は、前記第２の蓋体に形成された一対の開口部を介して、前記第１の蓋体の外周面に形成された凹部と係合する防犯カメラ装置。
【請求項４】
請求項１から請求項３のいずれかに記載の防犯カメラ装置において、
前記開口凹部は前記装置本体の下面に形成される防犯用カメラ装置。
【請求項５】
請求項１から請求項４のいずれかに記載の防犯用カメラ装置において、
前記第１の蓋体の内面と前記開口凹部の内部とを連結する落下防止用の索体を備える防犯用カメラ装置。
【考案の詳細な説明】
【技術分野】
【０００１】
この考案は、防犯カメラ装置に関する。
【背景技術】
【０００２】
このような防犯カメラ装置は、カメラおよび赤外線ＬＥＤをケーシングにより囲った構造を有する装置本体と、この装置本体を壁面等に固定するための支持部とを有している。このような防犯カメラ装置としては、カメラにより撮影した映像を有線によりハードディスク等に送信することにより記憶するものが使用されている。一方、近年、カメラにより撮影した映像をＳＤカード（ＳＤ  Ｍｅｍｏｒｙ  Ｃａｒｄ）等の記憶媒体に記憶する構成のものも採用されている（特許文献１および特許文献２参照）。
【０００３】
また、このような防犯カメラ装置においては、撮影の開始と停止、あるいは、撮影モードを切り替えるために、コントローラから、装置本体に配設された赤外線信号の受光部に対して、制御信号を送信するリモコン式の構成のものも採用されている（特許文献２参照）。
【先行技術文献】
【特許文献】
【０００４】
【特許文献１】特開２０１５−１７３３７１号公報
【特許文献２】特開２０１０−２０６７６３号公報
【考案の概要】
【考案が解決しようとする課題】
【０００５】
ＳＤカード等の記憶媒体にカメラにより撮影した映像を記憶する構成の防犯カメラ装置においては、電源さえあればカメラを任意の場所に設置可能であり、また、装置全体をコンパクトに構成できるという利点がある。しかしながら、第三者により記憶媒体が取り外された場合には、それまで記録されていた映像を取得することができず、また、それ以降の撮影も不可能となる。同様に、第三者がコントローラを操作して撮影動作を停止した場合においても、それ以降の撮影が不可能となる。
【０００６】
このような問題に対応するため、記憶媒体が外部から取り外せないように、鍵つきの蓋体を設けることや、赤外線の受光部を鍵つきのカバーにより覆うことも考えられる。しかしながら、防犯カメラ装置は通常、高所に設置されることが多いことから、防犯カメラ装置に対して各種の操作を実行するためには、脚立等の上に立つ必要がある。このような場合に、鍵を操作して蓋体を開放した後で記録媒体にアクセスしたり、鍵を操作してカバーを外した後にリモコン操作を行うことは、極めて煩雑であるばかりではなく、危険を伴うことになる。
【０００７】
この考案は、上記課題を解決するためになされたものであり、簡易な構成でありながら、第三者による記憶媒体の盗難や、第三者によるリモコン操作を防止することができ、また、蓋体の取り外しを鍵等を使用することなく、容易かつ安全に実行することが可能な防犯カメラ装置を提供することを目的とする。
【課題を解決するための手段】
【０００８】
請求項１に記載の考案は、カメラを内蔵した装置本体と、前記装置本体を支持するための支持部材とを備え、前記カメラにより撮影した画像を記録媒体に記録する防犯カメラ装置において、その内部に前記記録媒体を装着するための装着孔が形成されるとともに、その内周面にネジ部が形成された開口凹部と、ネジ部を有し、当該ネジ部を前記開口凹部のネジ部と螺合させることにより前記開口凹部を覆う第１の蓋体と、前記第１の蓋体を外部から覆う形状を有し、その蓋面に開口部が形成されるとともに、前記第１の蓋体に対して回転自在に構成された第２の蓋体と、前記第２の蓋体に形成された開口部を介して、前記第１の蓋体に形成された係合部と係合する棒状部を備えた開閉部材と、を備えたことを特徴とする。
【０００９】
請求項２に記載の考案は、カメラを内蔵した装置本体と、前記装置本体を支持するための支持部材と、前記カメラの動作を操作するためのコントローラからの信号の受光部とを備えた防犯カメラ装置において、その内部に前記受光部が形成されるとともに、その内周面にネジ部が形成された開口凹部と、ネジ部を有し、当該ネジ部を前記開口凹部のネジ部と螺合させることにより前記開口凹部を覆う第１の蓋体と、前記第１の蓋体を外部から覆う形状を有し、その蓋面に開口部が形成されるとともに、前記第１の蓋体に対して回転自在に構成された第２の蓋体と、前記第２の蓋体に形成された開口部を介して、前記第１の蓋体に形成された係合部と係合する棒状部を備えた開閉部材と、を備えたことを特徴とする。
【００１０】
請求項３に記載の考案は、請求項１または請求項２に記載の考案において、前記第１の蓋体に形成された係合部は、前記第１の蓋体の外周面に形成された凹部であり、前記第２の蓋体には一対の開口部が形成されるとともに、前記開閉部材には棒状部が一対配設されており、前記開閉部材における一対の棒状部は、前記第２の蓋体に形成された一対の開口部を介して、前記第１の蓋体の外周面に形成された凹部と係合する。
【００１１】
請求項４に記載の考案は、請求項１から請求項３のいずれかに記載の考案において、前記開口凹部は前記装置本体の下面に形成される。
【００１２】
請求項５に記載の考案は、前記第１の蓋体の内面と前記開口凹部の内部とを連結する落下防止用の索体を備える。
【考案の効果】
【００１３】
請求項１に記載の考案によれば、第１、第２の蓋体の作用により、第三者が記録媒体を取り外すことを防止することが可能となる。そして、開閉部材を使用した場合には、棒状部が第１の蓋体に形成された係合部と係合し、開閉部材を第２の蓋体とともに回転させることにより、開口凹部と第１の蓋体の螺合状態を解除し、第１の蓋体を開口凹部から容易に取り外すことが可能となる。
【００１４】
請求項２に記載の考案によれば、第１、第２の蓋体の作用により、第三者が受光部にアクセスしてコントローラによる操作を行うことを防止することが可能となる。そして、開閉部材を使用した場合には、棒状部が第１の蓋体に形成された係合部と係合し、開閉部材を第２の蓋体とともに回転させることにより、開口凹部と第１の蓋体の螺合状態を解除し、第１の蓋体を開口凹部から容易に取り外すことが可能となる。
【００１５】
請求項３に記載の考案によれば、開閉部材における一対の棒状部と第１の蓋体の外周面に形成された凹部とを係合させることにより、開閉部材とともに、第１の蓋体および第２の蓋体を容易に回転させることが可能となる。
【００１６】
請求項４に記載の考案によれば、装置の下側から記録媒体または受光部に容易にアクセスすることが可能となる。
【００１７】
請求項５に記載の考案によれば、記録媒体または受光部にアクセスするために第１、第２の蓋体を装置本体から取り外したときにおいても、第１、第２の蓋体が落下することを防止することができる。また、第１、第２の蓋体を装置本体に装着したときには、索体を開口凹部内に設置することが可能となる。
【図面の簡単な説明】
【００１８】
【図１】この考案に係る防犯カメラ装置の斜視図である。
【図２】この考案に係る防犯カメラ装置を下側から見た斜視図である。
【図３】この考案に係る防犯カメラ装置を下側から見た斜視図である。
【図４】開口凹部５の内部を示す正面図である。
【図５】蓋機構４の分解斜視図である。
【考案を実施するための形態】
【００１９】
以下、この考案の実施の形態を図面に基づいて説明する。図１は、この考案に係る防犯カメラ装置の斜視図である。また、図２および図３は、この考案に係る防犯カメラ装置を下側から見た斜視図である。なお、図２は、蓋機構４が本体１の開口凹部５（図３参照）に装着された状態を示し、図３は、蓋機構４が本体１の開口凹部５から取り外された状態を示している。
【００２０】
この防犯カメラ装置は、カメラ６および赤外線ＬＥＤ７から成る撮影系と、この撮影系をケーシングにより囲った構造を有する装置本体１と、この装置本体１の上部に配設された傘部材２と、装置本体１を壁面等に固定するための支持部３とを備える。図３に示すように、装置本体１の下面には、開口凹部５が形成されている。この開口凹部５の内周面にはネジ部５１（図３参照）が形成されており、この開口凹部５は、後述する蓋機構４により開閉可能となっている。
【００２１】
図２は、蓋機構４が装置本体１に装着され、開口凹部５が蓋機構４により覆われた状態を示している。また、図３は、蓋機構４が装置本体１から取り外された状態を示している。図３に示す状態においては、装置本体１と蓋機構４とは、連結紐３３により連結されている。この連結紐３３の一端は、開口凹部５の内部に固定されており、他端は、蓋機構４の内部に固定されている。このため、蓋機構４を装置本体１から取り外したときにおいても、蓋機構４が落下することを防止することができる。また、蓋機構４を装置本体１に装着したときには、連結紐３３を開口凹部５内に設置することが可能となる。この連結紐３３として、鎖等のその他の索体を使用してもよい。
【００２２】
図４は、開口凹部５の内部を示す正面図である。
【００２３】
この開口凹部５には、この考案に係る記憶媒体としてのＳＤカードを装着するための装着孔８が形成されている。また、この開口凹部５には、防犯カメラ装置による撮影の開始と停止、あるいは、撮影モードを切り替えるために、図示を省略したコントローラから送信される赤外線信号を受信するための赤外線信号の受光部９が配設されている。
【００２４】
図５は、上述した蓋機構４の分解斜視図である。
【００２５】
この蓋機構４は、第１の蓋体１０と第２の蓋体２０とを備える。
【００２６】
第１の蓋体１０は、ネジ部１４を有し、このネジ部１４を開口凹部５のネジ部５１と螺合させることにより、開口凹部５を覆う構成を有する。この第１の蓋体１０の外周面には、多数の凹部１１が等間隔で形成されている。また、この第１の蓋体１０の中央部には、ネジ穴１３が形成されている。
【００２７】
一方、第２の蓋体２０は、第１の蓋体１０を外部から覆う形状を有し、その外周面には多数の凹部２１が等間隔で形成されている。また、第２の蓋体２０の蓋面には、一対の開口部２３が形成されるとともに、その中央部にネジ２６の貫通孔２２が形成されている。この第２の蓋体２０は、ネジ２６がワッシャ２５の開口部および第２の蓋体に形成された貫通孔２２を貫通して第１の蓋体１０のネジ穴１３に螺合することにより、第１の蓋体１０に対して回転自在となるよう構成されている。
【００２８】
また、この蓋機構４は、開閉ハンドル３０を備える。この開閉ハンドル３０は、連結部３１の両端に一対の棒状部３２を配設した構成を有する。これらの棒状部３２間の距離は、第２の蓋体２０に形成された一対の開口部２３間の距離と等しく、かつ、第１の蓋体１０の外周面に形成された多数の凹部１１のうち第１の蓋体１０の中心を介して対向する位置に配置された凹部１１（第１の蓋体１０の直径上にある一対の凹部１１）間の距離と等しくなっている。
【００２９】
以上のような構成を有する防犯カメラ装置において、装置本体１に対して蓋機構４を装着し、あるいは、離脱させるときには、開閉ハンドル３０における一対の棒状部３２を、第２の蓋体２０における開口部２３に貫通させた後、第１の蓋体１０の外周面に形成された凹部１１と係合させる。そして、開閉ハンドル３０をこの状態で維持したまま、第２の蓋体２０の外周面に形成された凹部２１を把持することにより、第２の蓋体２０を開閉ハンドル３０および第１の蓋体１０とともに回転させる。このようにして、第１の蓋体１０におけるネジ部１４と開口凹部５のネジ部５１とを螺合状態とし、あるいは、螺合状態を解除することにより、蓋機構４と装置本体１とを着脱することが可能となる。
【００３０】
このときには、開閉ハンドル３０における棒状部３２を第２の蓋体２０における開口部２３に挿入して第２の蓋体２０を回転させるだけの操作により、蓋機構４と装置本体１とを着脱することが可能であることから、鍵等を使用する場合に比べて極めて容易に蓋機構の着脱を実行することが可能となる。このため、例えば、脚立等を使用した高所の作業においても、蓋機構４の着脱を極めて容易に実行することが可能となる。このとき、開口凹部５は装置本体１の下面に形成されていることから、ＳＤカードまたは受光部９へのアクセスを極めて容易に実行することが可能となる。
【００３１】
一方、図２に示すように、蓋機構４が装置本体１に対して装着された状態において、開閉ハンドル３０を使用することなく、第２の蓋体２０の外周面に形成された凹部２１を把持して第２の蓋体２０を回転させた場合においては、第２の蓋体２０は第１の蓋体１０に対して空回りすることになる。すなわち、第２の蓋体２０が回転しても第１の蓋体１０が回転することはない。このため、開閉ハンドル３０を所持しない第三者が蓋機構４を装置本体１から取り外すことを防止することが可能となる。
【００３２】
このため、第三者がＳＤカードを装置本体１から取り外し、あるいは、第三者が受光部９にアクセスしてコントローラによる操作を行うことを防止することが可能となる。
【００３３】
なお、上述した実施形態においては、この考案に係る記録媒体としてＳＤカードを使用しているが、マイクロＳＤカードや、ＳＤＨＣカード等を使用してもよい。また、ＵＳＢメモリやコンパクトフラッシュ（サンディスク  コーポレイションの登録商標）等のその他の記憶媒体を使用してもよい。
【符号の説明】
【００３４】
１      装置本体
２      傘部材
３      支持部
４      蓋機構
５      開口凹部
６      カメラ
７      赤外線ＬＥＤ
８      装着孔
９      受光部
１０    第１の蓋体
１１    凹部
１３    ネジ穴
１４    ネジ部
２０    第２の蓋体
２１    凹部
２２    貫通孔
２３    開口部
２５    ワッシャ
２６    ネジ
３０    開閉ハンドル
３１    連結部
３２    棒状部
３３    連結紐
５１    ネジ部
【図１】
0003208124.tif 000003
【図２】
0003208124.tif 000004
【図３】
0003208124.tif 000005
【図４】
0003208124.tif 000006
【図５】
0003208124.tif 000007